(57)【要約】【課題】多様な設置方法を採用しても取り外す必要がなく、視覚上の煩わしさも解消された新規かつ改良されたディスプレイ装置用スピーカ取り付け部材を提供すること。【解決手段】ディスプレイ装置の裏面に敷設されている１又は複数の取り付け板と、上記取り付け板の長手方向に沿った第一の方向の所定位置で上記取り付け板と交差するように連結される連結部材と、上記第一の方向と直交する第二の方向に沿って移動可能なように上記連結部材に連結される可動部材と、上記可動部材に取り付けられ、スピーカを取り付け可能なスピーカ取り付けパネルと、を備える、ディスプレイ装置用スピーカ取り付け部材。【選択図】図１
2010193418.tif 000002
【特許請求の範囲】
【請求項１】
ディスプレイ装置の裏面に敷設されている１又は複数の取り付け板と、
前記取り付け板の長手方向に沿った第一の方向の所定位置で前記取り付け板と交差するように連結される連結部材と、
前記第一の方向と直交する第二の方向に沿って移動可能なように前記連結部材に連結される可動部材と、
前記可動部材に取り付けられ、スピーカを取り付け可能なスピーカ取り付けパネルと、
を備える、ディスプレイ装置用スピーカ取り付け部材。
【請求項２】
前記連結部材と挟持して前記可動部材の位置を固定する固定部材をさらに備える、請求項１に記載のディスプレイ装置用スピーカ取り付け部材。
【請求項３】
前記取り付け板は、前記第一の方向に配列した複数の嵌合部を有し、
前記連結部材が、前記第二の方向に沿って所定位置の前記嵌合部に嵌合する、請求項１に記載のディスプレイ装置用スピーカ取り付け部材。
【請求項４】
前記可動部材は、前記第二の方向に沿って形成された案内溝が設けられており、
前記固定部材は、前記第二の方向に沿って設けられ、前記可動部材の移動を案内する案内部材が貫通する複数の貫通孔を有しており、
前記複数の貫通孔を貫通した前記案内部材が前記案内溝に嵌合する、請求項２に記載のディスプレイ装置用スピーカ取り付け部材。
【請求項５】
前記固定部材は第一の平坦面を有し、
前記ディスプレイ装置を壁に掛止して固定する掛止部と、前記ディスプレイ装置に接する第二の平坦面を有する壁掛け本体部と、を有する壁掛け部材を前記取り付け板に固定した場合に、
前記第一の平坦面と第二の平坦面とが当接する、請求項２に記載のディスプレイ装置用スピーカ取り付け部材。
【請求項６】
前記スピーカ取り付けパネルは、透明な材質で形成される、請求項１に記載のディスプレイ装置用スピーカ取り付け部材。
【請求項７】
前記第一の方向及び前記第二の方向の何れにも直交する第三の方向に対して、前記可動部材の両面側に前記スピーカ取り付けパネルを取り付け可能である、請求項１に記載のディスプレイ用スピーカ取り付け部材。
【請求項８】
前記可動部材と前記スピーカ取り付けパネルの間に設置されるパネル位置調整部材をさらに備える、請求項１に記載のディスプレイ用スピーカ取り付け部材。
【請求項９】
前記固定部材は、少なくとも前記可動部材に接する接触部を有し、
当該接触部は、前記可動部材側に突出して形成される、請求項２に記載のディスプレイ装置用スピーカ取り付け部材。
【発明の詳細な説明】
【技術分野】
【０００１】
本発明は、ディスプレイ装置用スピーカ取り付け部材に関する。
【背景技術】
【０００２】
近年、テレビジョン受像機などのディスプレイ装置は、高機能化している。ディスプレイ装置には、音声を出力するためにスピーカが必要であるが、例えば、外部スピーカをディスプレイ装置の両端に設置する技術が特許文献１に開示されている。また、ディスプレイ装置は、薄型化している。薄型化に伴い、ディスプレイ装置は壁にかけて設置することが可能となった。一方、ユーザは、薄型化したディスプレイ装置を従来の方法のように台の上等に設置することも可能であり、各自の嗜好に応じて様々な設置方法を採用することができる。このようにディスプレイ装置を壁にかけて使用するためのディスプレイ装置用壁かけ部材についての技術が、例えば、特許文献２に開示されている。
【０００３】
また、特許文献２には、上記のディスプレイ装置用壁掛け部材と外部スピーカを取り付けるための金具を一体化したディスプレイ装置用スピーカ取り付け部材についての技術も開示されている。
【先行技術文献】
【特許文献】
【０００４】
【特許文献１】特開２００８−１０９３８２号公報
【特許文献２】特開２００２−２６８５７８号公報
【発明の概要】
【発明が解決しようとする課題】
【０００５】
しかし、上記のようなディスプレイ装置用スピーカ取り付け部材は、ディスプレイ装置毎に固有のものであり、サイズ等の異なるディスプレイ装置には対応させられないでいた。つまり、サイズの異なるディスプレイ装置毎に異なるディスプレイ装置用スピーカ取り付け部材が必要であった。また、ディスプレイ装置を壁に掛けたり、外部スピーカを取り付けて使用したりする場合であっても、取り付け直す必要のないディスプレイ装置用壁かけ部材が求められていた。
【０００６】
また、仮に取り付け可能であっても、ディスプレイ装置用壁かけ部材を別のディスプレイ装置に取り付けたときに、ディスプレイ装置の裏面にある接続端子やケーブルなどが邪魔になる場合もあった。
【０００７】
また、スピーカ取り付け部材がディスプレイ装置とスピーカの間から見えてしまうことがあった。さらに、スピーカがディスプレイ装置より極端に前に出てしまったり、後ろに引っ込んでしまったりすることなどもあり、外観上ユーザの嗜好に応じたスピーカの設置ができない場合があるという問題もあった。
【０００８】
そこで、本発明は、上記問題に鑑みてなされたものであり、本発明の目的とするところは、異なるディスプレイ装置に適用可能であり、多様な設置方法を採用しても取り付け直しが必要なく、接続端子等の位置に応じて部材の取り付け位置が調整可能であり、外観上ユーザの嗜好に応じたスピーカの設置が可能な新規かつ改良されたディスプレイ装置用スピーカ取り付け部材を提供することにある。
【課題を解決するための手段】
【０００９】
上記課題を解決するために、本発明のある観点によれば、ディスプレイ装置の裏面に敷設されている１又は複数の取り付け板と、上記取り付け板の長手方向に沿った第一の方向の所定位置で上記取り付け板と交差するように連結される連結部材と、上記第一の方向と直交する第二の方向に沿って移動可能なように上記連結部材に連結される可動部材と、上記可動部材に取り付けられ、スピーカを取り付け可能なスピーカ取り付けパネルと、を備える、ディスプレイ装置用スピーカ取り付け部材が提供される。
【００１０】
上記ディスプレイ用スピーカ取り付け部材は、上記連結部材と挟持して上記可動部材の位置を固定する固定部材をさらに備えていてもよい。
【００１１】
上記ディスプレイ用スピーカ取り付け部材は、上記取り付け板が、上記第一の方向に配列した複数の嵌合部を有し、上記連結部材が、上記第二の方向に沿って所定位置の上記嵌合部に嵌合していてもよい。
【００１２】
上記ディスプレイ用スピーカ取り付け部材は、上記可動部材が、上記第二の方向に沿って形成された案内溝が設けられており、上記固定部材が、上記第二の方向に沿って設けられ、上記可動部材の移動を案内する案内部材が貫通する複数の貫通孔を有しており、上記複数の貫通孔を貫通した上記案内部材が上記案内溝に嵌合していてもよい。
【００１３】
上記ディスプレイ用スピーカ取り付け部材は、上記固定部材が第一の平坦面を有し、上記ディスプレイ装置部材を壁に掛止して固定する掛止部と、上記ディスプレイ装置に接する第二の平坦面を有する壁掛け本体部と、を有する壁掛け部材を上記取り付け板に固定した場合、上記第一の平坦面と第二の平坦面とが当接していてもよい。
【００１４】
上記ディスプレイ用スピーカ取り付け部材は、上記スピーカ取り付けパネルが、透明な材質で形成されていてもよい。
【００１５】
上記ディスプレイ用スピーカ取り付け部材は、上記第一の方向及び上記第二の方向の何れにも直交する第三の方向に対して、上記可動部材の両面側に上記スピーカ取り付けパネルを取り付け可能であってもよい。
【００１６】
上記ディスプレイ用スピーカ取り付け部材は、上記可動部材と上記スピーカ取り付けパネルの間に設置されるパネル位置調整部材を更に備えていてもよい。
【００１７】
上記ディスプレイ用スピーカ取り付け部材は、上記固定部材が、少なくとも上記可動部材に接する接触部を有し、当該接触部が上記可動部材側に突出して形成されていてもよい。
【発明の効果】
【００１８】
以上説明したように本発明によれば、多様な設置方法を採用してもそれぞれの用途に応じた取り付け直しが必要なく、接続端子等の位置に応じて部材の取り付け位置が調整可能であり、外観上ユーザの嗜好に応じたスピーカの設置が可能となる。
【図面の簡単な説明】
【００１９】
【図１】本発明の第１の実施形態にかかるディスプレイ装置用スピーカ取り付け部材を説明するための説明図である。
【図２】同実施形態にかかるディスプレイ装置用スピーカ取り付け部材を説明するための説明図である。
【図３】同実施形態にかかるディスプレイ装置用スピーカ取り付け部材を取り付けたディスプレイを説明するための説明図である。
【図４】同実施形態にかかるディスプレイ装置用スピーカ取り付け部材が有する取り付け板を説明するための説明図である。
【図５Ａ】同実施形態にかかるディスプレイ装置用スピーカ取り付け部材が有する固定部材を説明するための説明図である。
【図５Ｂ】同実施形態にかかるディスプレイ装置用スピーカ取り付け部材が有する固定部材を説明するための説明図である。
【図６Ａ】同実施形態にかかるディスプレイ装置用スピーカ取り付け部材が有する可動部材を説明するための説明図である。
【図６Ｂ】同実施形態にかかるディスプレイ装置用スピーカ取り付け部材が有する可動部材を説明するための説明図である。
【図６Ｃ】同実施形態にかかるディスプレイ装置用スピーカ取り付け部材が有する可動部材と固定部材とが連結される様子を説明するための説明図である。
【図７】同実施形態にかかるディスプレイ装置用スピーカ取り付け部材が有する連結部材を説明するための説明図である。
【図８】同実施形態にかかるディスプレイ装置用スピーカ取り付け部材が有する連結部材と可動部材とが連結される様子を説明するための説明図である。
【図９】同実施形態にかかるディスプレイ装置用スピーカ取り付け部材が有するディスプレイ用スピーカ取り付け部材を説明するための説明図である。
【図１０Ａ】同実施形態にかかるディスプレイ装置用スピーカ取り付け部材が有するディスプレイ用スピーカ取り付け部材と可動部材が連結される様子を説明するための説明図である。
【図１０Ｂ】同実施形態にかかるディスプレイ装置用スピーカ取り付け部材が有するディスプレイ用スピーカ取り付け部材と可動部材が連結される様子を説明するための説明図である。
【図１０Ｃ】同実施形態にかかるディスプレイ装置用スピーカ取り付け部材が有するディスプレイ用スピーカ取り付け部材と可動部材が連結される様子を説明するための説明図である。
【図１０Ｄ】同実施形態にかかるディスプレイ装置用スピーカ取り付け部材が有するディスプレイ用スピーカ取り付け部材と可動部材が連結される様子を説明するための説明図である。
【発明を実施するための形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
［説明の流れについて］
本稿における説明の流れは次の通りである。まず、図１、図２、及び図３を参照しながら、本発明の一実施形態に係るディスプレイ装置用スピーカ取り付け部材について説明する。そして、同実施形態に係るディスプレイ装置用スピーカ取り付け部材が有する各部材については、図４〜図１０Ｄを参照しながら説明する。最後に、同実施形態の技術的思想について纏め、当該技術的思想から得られる作用効果について簡単に説明する。説明は以下の順序で行うものとする。
１．ディスプレイ装置用スピーカ取り付け部材１００について
２．ディスプレイ装置用スピーカ取り付け部材１００の各部材について
３．まとめ
【００２２】
＜１．ディスプレイ装置用スピーカ取り付け部材１００について＞
［ディスプレイ装置用スピーカ取り付け部材１００が取り付けられたディスプレイ装置１０００の例］
まず、図１を参照しながら、ディスプレイ装置１０００に取り付けられたディスプレイ装置用スピーカ取り付け部材１００について説明する。図１は、ディスプレイ装置用スピーカ取り付け部材１００が取り付けられたディスプレイ装置１０００の裏面を示した説明図である。ディスプレイ装置用スピーカ取り付け部材１００は、取り付け板１１０と、連結部材１２０と、可動部材１３０と、スピーカ取り付けパネル１４０と、固定部材１５０とを有する。
【００２３】
取り付け板１１０は、略長方形の板状に形成される。取り付け板１１０は、Ｙ方向に長手方向が位置するようにディスプレイ装置１０００の裏面に例えば２本設置される。ここで、Ｙ方向とは、ディスプレイ装置１０００の高さ方向を指す。また、Ｘ方向とは、ディスプレイ装置１０００の幅方向を指す。また、Ｚ方向とは、ディスプレイ装置１０００の奥行き方向を指す。図４を参照しながら後述するが、取り付け板１１０は、Ｙ方向に配列した複数の突起部と、嵌合部とを有していて、所定の嵌合部に連結部材１２０が嵌合する。つまり、連結部材１２０は、Ｙ方向に配列した上記複数の嵌合部の何れかに嵌合することができる。そのため、連結部材１２０のＹ方向の設置位置が調整されうる。
【００２４】
連結部材１２０は、取り付け板１１０と交差してディスプレイ装置１０００の裏面に２本設置されている。各連結部材１２０は、２本の取り付け板１１０の夫々と交差する。図７を参照しながら後述するが、連結部材１２０は、ＹＺ平面における断面の形状が「コ」の形状をしており、Ｘ方向に延びて形成される。すなわち、連結部材１２０は、Ｘ方向に長手方向が位置するように設置される。連結部材１２０の「コ」の字の開口している部分が壁側に向いている。
【００２５】
また、２本の連結部材１２０は、Ｙ方向に対して取り付けの位置が調整可能なように取り付け板１１０に連結される。そのため、ディスプレイ装置１０００の裏面にある接続端子やケーブルなど（図示せず）の位置に応じて、連結部材１２０の位置は調整される。
その結果、連結部材１２０は、接続端子などを避けるようにして取り付けられる。なお、図１に示す説明図では、連結部材１２０は、一部が固定部材１５０に覆われている。連結部材１２０の固定部材１５０に覆われている部分、及び連結部材１２０が取り付け板１１０に連結されている部分については、図８を参照しながら後述する。
【００２６】
可動部材１３０は、好ましくは略直方体形状であってＸ方向に空洞を有する筒型に形成される。可動部材１３０は、Ｘ方向に長手方向が位置するようにディスプレイ装置１０００の裏面に４本設置されている。１本の連結部材１２０につき、連結部材１２０のＸ方向の両端に２本の可動部材１３０が設置される。図６Ａ、及び図６Ｂを参照しながら後述するが、４本の可動部材１３０は、それぞれ別々の固定部材１５０によって覆われている。可動部材１３０が、固定部材１５０に覆われている部分については、図８を参照しながら後述する。また、可動部材１３０は、固定部材１５０に覆われた状態でＸ方向に移動可能なように連結部材１２０に連結されている。可動部材１３０が、具体的に連結部材１２０に連結されている部分についても、図８を参照しながら後述する。また、可動部材１３０、及び連結部材１２０は、共に内部に空洞を有するので、例えばスピーカに必要な接続ケーブル等の配線を内部に通して収納することができ、配線通しの絡み合いを防ぐこともできる。
【００２７】
スピーカ取り付けパネル１４０は、好ましくは略直方体形状の板状に形成される。スピーカ取り付けパネル１４０は、ディスプレイ装置１０００のＸ方向の端部に位置する。そして、スピーカ取り付けパネル１４０にスピーカ（図示せず）が取り付けられる。図１０Ａ、図１０Ｂ、図１０Ｄ、及び図１０Ｄを参照しながら後述するが、スピーカ取り付けパネル１４０は、可動部材１３０の連結部材１２０と連結されている側とＸ方向における反対側の端部に取り付けられている。上記のように可動部材１３０は、Ｘ方向に移動可能なように連結部材１２０に取り付けられているので、スピーカ取り付けパネル１４０は、Ｘ方向に対して位置調整されうる。そのため、ディスプレイ装置１０００のサイズやユーザの嗜好に応じてスピーカ（図示せず）は、様々な位置に配置されることができる。
【００２８】
ここで、図２を参照しながら、図１で説明したディスプレイ装置１０００とは異なるサイズのディスプレイ装置２０００にディスプレイ装置用スピーカ取り付け部材１００が取り付けられた状態について説明する。図２は、ディスプレイ装置用スピーカ取り付け部材１００が取り付けられたディスプレイ装置２０００の裏面を示した説明図である。
【００２９】
図１で説明してきたディスプレイ装置１０００に対して、図２で示すディスプレイ装置２０００は、サイズが大きいものと仮定して説明する。つまり、図１のようなディスプレイ装置１０００に取り付ける場合に比べてディスプレイ装置２０００に取り付ける場合には、ディスプレイ装置用スピーカ取り付け部材１００は、Ｘ方向により長く延びている必要がある。その場合に、図２に示すように、連結部材１２０を基準にして各可動部材１３０をＸ方向に移動して固定し、ディスプレイ装置用スピーカ取り付け部材１００のＸ方向の全長を長くすることができる。すなわち、固定部材１５０のＸ方向の端部からスピーカ取り付けパネル１４０までの長さの調整を可動部材１３０の長さを調整することによって可能にする。その結果、異なるサイズのディスプレイ装置２０００に対しても、本実施形態に係るディスプレイ装置用スピーカ取り付け部材１００を用いてスピーカが取り付けられる。つまり、任意のサイズのディスプレイ装置に対して、ユーザは、ディスプレイ装置用スピーカ取り付け部材１００を利用することができる。上記の可動部材１３０による位置調整方法については、図８などを参照しながら後述する。
【００３０】
次に、図３を参照しながら、ディスプレイ装置１０００（ディスプレイ装置２０００でもよい。以下同じ。）にディスプレイ装置用スピーカ取り付け部材１００が取り付けられた場合の、ディスプレイ装置１０００の表面側の様子について説明する。図３は、ディスプレイ装置用スピーカ取り付け部材１００が取り付けられたディスプレイ装置１０００の表面側を示した説明図である。
【００３１】
ユーザが、ディスプレイ装置用スピーカ取り付け部材１００が取り付けられたディスプレイ装置１０００で番組を視聴する場合、ディスプレイ装置用スピーカ取り付け部材１００の各部材のうち、スピーカ取り付けパネル１４０のみが視界に入る。そして、ユーザがスピーカ取り付けパネル１４０にスピーカ（図示せず。以下同じ。）を取り付けても、スピーカのサイズ次第ではスピーカの背後にスピーカ取り付けパネル１４０が見える場合がある。ユーザが番組を視聴中に表示画面以外の視覚情報は、なるべく少ないことが望ましいこと、すなわちスピーカ取り付けパネル１４０が目立つことは外観上美しくないことを考慮すると、スピーカ取り付けパネル１４０は、透明な材質で形成されていることが望ましい。上記の透明な材質としては、一般的な熱可塑性、又は熱硬化性の合成樹脂などが挙げられ、具体的には、ポリウレタン、ポリスチレン、ポリアクリル酸、ポリカーボネート、ポリ塩化ビニルなどを含んだ多様な樹脂が用いられうる。
【００３２】
また、ユーザが、上記のディスプレイ装置１０００で番組を視聴する際に、可動部材１３０の端部がディスプレイ装置１０００の外枠より外側に位置するほど延びているために、可動部材１３０もユーザの視界に入る場合がありうる。そのため、上記と同様の理由で、ユーザが番組を視聴中に表示画面以外の視覚情報は、なるべく少ないことが望ましいこと、すなわち可動部材１３０が目立つことは外観上美しくないことを考慮すると、可動部材１３０も、透明な材質で形成されていてもよい。可動部材１３０に用いる透明な材質は、上記したような合成樹脂などが挙げられる。
【００３３】
再び図１を参照しながら説明する。固定部材１５０は、連結部材１２０と共に可動部材１３０を挟持して可動部材１３０の位置を固定する。１本の連結部材１２０につき、連結部材１２０のＸ方向の両端に２本の固定部材１５０が設置される。固定部材１５０は、ディスプレイ装置１０００側、すなわちＺ軸の負方向に開口した形状で形成される。そして、固定部材１５０の開口している部分の幅は、連結部材１２０のＹ方向の幅より少し広くなっていて、固定部材１５０を連結部材１２０に嵌め合わせることができる。そのため、連結部材１２０と可動部材１３０とは安定に連結される。その結果、ディスプレイ装置１０００に取り付けられたスピーカは、振動が起きてもずれにくいものとなる。固定の仕方については、可動部材１３０が有する案内溝に、固定部材１５０が有する貫通孔から通したネジを嵌合して固定することが挙げられる。上記の固定に関する詳細な説明については、図８などを参照しながら各部材の詳細な構造についての説明に基づいて後述する。
【００３４】
また、ユーザは、ディスプレイ装置用スピーカ取り付け部材１００に壁掛け部材１０を取り付けることができる。具体的には、取り付け板１１０に壁掛け部材１０を取り付けることができる。壁掛け部材１０は、掛止部１２と、壁掛け本体部１４と、平坦面１６と、ネジ２０とを有する。掛止部１２は、壁掛け本体部１４に付設されており、例えばフックの形状をしている。壁側には掛止部１２が、掛合する被掛合部を有する基台部（ベースブラケット）が取り付けられており、掛止部１２を被掛合部と掛合させることによって、ディスプレイ装置用スピーカ取り付け部材１００が壁に取り付けられる。ネジ２０が、壁掛け部材１０が有する貫通孔２２と取り付け板１１０が有する貫通孔を通ることによって、壁掛け部材１０と取り付け板１１０は、ディスプレイ装置用スピーカ取り付け部材１００に共締めされディスプレイ装置１０００に取り付けられる。壁掛け本体部１４には、ディスプレイ装置１０００と面する側に平坦面１６が存在する。固定部材１５０は、取り付け板１１０と連結する固定部材端部を有し、固定部材端部は平坦面を有する。壁掛け部材１０が取り付け板１１０に取り付けられた際に、固定部材端部が有する平坦面と、壁掛け本体部１４にある平坦面１６とが当接する。すなわち、図１に示す平坦面平坦面１６と、図５Ａに示す平坦面１６４とが当接する。そのため、壁掛け部材１０は、ディスプレイ装置用スピーカ取り付け部材１００に取り付けやすく、取り付けた後の壁掛け部材１０は安定した状態で固定される。
【００３５】
以上、ディスプレイ装置１０００に取り付けられた本発明の一実施形態に係るディスプレイ装置用スピーカ取り付け部材１００について図１〜図３を参照しながら説明してきた。しかし、ディスプレイ装置用スピーカ取り付け部材１００は、上述してきたものには限られない。例えば、取り付け板１１０は、同実施形態に係るディスプレイ装置用スピーカ取り付け部材１００においては２本あるものとして説明してきたが、１本であってもよいし、３本以上あってもよい。
【００３６】
また、連結部材１２０も、同実施形態に係るディスプレイ装置用スピーカ取り付け部材１００においては２本あるものとして説明してきたが、１本であってもよいし、３本以上あってもよい。同様に、可動部材１３０についても、各連結部材１２０に対してＸ方向の両端に２本位置するものとして説明してきたが、１本であってもよい。すなわち、可動部材１３０及び固定部材１５０が、Ｘ方向に連結部材１２０に対して一端にのみ連結されていて、この一端にのみ連結されている可動部材１３０のみを移動させることで、２つのスピーカ取り付けパネル１４０の間隔を調整してもよい。
【００３７】
さらに、スピーカ取り付けパネル１４０は、同実施形態に係るディスプレイ装置用スピーカ取り付け部材１００においては２枚あるものとして説明してきたが、１枚であってもよい。ディスプレイ装置１０００のＸ方向の端部の何れか１枚のみに存在していてもよい。
【００３８】
また、Ｙ方向に長手方向を有する取り付け板１１０と、Ｘ方向に長手方向を有する連結部材１２０などとは、同実施形態に係るディスプレイ装置用スピーカ取り付け部材１００においては、直交、もしくは略直交するように示されているが、このような交わり方に限られない。また、取り付け板１１０が、Ｘ方向に長手方向を有するように設置されていてもよい。すなわち、スピーカは、ディスプレイ装置１０００のＸ方向の両端に設置されていなくてもよく、例えば、スピーカは、ディスプレイ装置１０００のＹ方向の両端に設置されていてもよい。
【００３９】
このように、ディスプレイ装置用スピーカ取り付け部材１００は、Ｘ方向に長さを調整可能であるため、異なるディスプレイ装置であっても適用可能である。また、連結部材１２０の取り付け位置がＹ方向に調整可能であるため、ディスプレイ装置用スピーカ取り付け部材１００は、接続端子等を避けて取り付けることが可能となる。
【００４０】
次に、同実施形態に係るディスプレイ装置用スピーカ取り付け部材１００の各部材について説明し、各部材の構成及び機能についてより詳細に説明する。
【００４１】
＜２．ディスプレイ装置用スピーカ取り付け部材の各部材について＞
［２−１．取り付け板１１０について］
まず、図４を参照しながら、取り付け板１１０について説明する。図４は、取り付け板１１０の形状を示した説明図である。取り付け板１１０は、嵌合部１１２と、突起部１１４と、壁掛け部材用貫通孔１１６と、固定部材端部用貫通孔１１８とを有し、板状に形成される。取り付け板１１０は、図４に示すような形状に限られず、例えばＸＹ平面に対してＵ字型の形状を有していてもよい。
【００４２】
図４に示すように、嵌合部１１２と、突起部１１４とがＹ方向に沿って、交互に並んでいる。嵌合部１１２には、連結部材１２０が嵌合する。取り付け板１１０は、複数の嵌合部１１２を有し、何れの嵌合部１１２にも連結部材１２０は嵌合することができる。そのため、図１を参照しながら説明してきたような効果が得られる。再び図１を参照しながら説明する。すなわち、複数の嵌合部１１２の何れにも連結部材１２０は嵌合することができ、嵌合部１１２はＹ方向に沿って配列しているので、連結部材１２０は、Ｙ方向に取り付け位置を調整可能なように取り付け板１１０に連結される。そのため、ディスプレイ装置１０００の裏面にある接続端子やケーブルなどの位置に応じて、ユーザは連結部材１２０に位置を調整することができ、連結部材１２０は、接続端子やケーブルなどを避けるようにして取り付けられる。
【００４３】
再び図４を参照しながら説明する。壁掛け部材用貫通孔１１６は、壁掛け部材１０を固定するためのネジ２０などの案内部材を通すためのものである。壁掛け部材１０は、掛止部１２を有し、掛止部１２が壁に付設されている引っ掛けるための部材に引っ掛けられる。そのため、壁掛け部材１０が壁掛け部材用貫通孔１１６に取り付けられると、ディスプレイ装置１０００が壁にかけられる。ここで壁掛け部材用貫通孔１１６は、ＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）規格に対応していてもよく、汎用されている壁掛け部材１０を取り付けることができる。
【００４４】
また、壁掛け部材用貫通孔１１６は、ディスプレイ装置１０００を台の上等に設置する場合に、取り付け板１１０をディスプレイ装置１０００に固定するためのネジを通すためのものでもある。また、ネジ２０を壁掛け部材１０が有する貫通孔２２、壁掛け部材用貫通孔１１６、及びディスプレイ装置１０００が有する取り付け用孔に通して、壁掛け部材１０はディスプレイ装置１０００に固定される。すなわち、ネジ２０によって、壁掛け部材１０と取り付け板１１０とを共締めすることができる。上記のような構成を有しているために、壁に掛けていたディスプレイ装置１０００を台の上等に設置する際に、壁掛け部材１０だけを取り外せばよい。つまり、ディスプレイ装置用スピーカ取り付け部材１００を完全に分解することなくネジ２０を外して壁掛け部材１０を取り外し、再びネジ２０でディスプレイ装置用スピーカ取り付け部材１００を取り付けるだけでよい。なお、壁に掛けて使用する場合には、どのような壁掛け部材１０でも使用できる。
【００４５】
突起部１１４は、「コ」の字に形成された突起であり、「コ」の開口している部分がＸ方向において、取り付け板１１０の中心側に向いている。突起部１１４は、嵌合部１１２を形成するためのものであり、Ｘ方向に開口している部分が向かい合って２つずつ存在する。突起部１１４は、嵌合部１１２に隣接してＹ方向に複数存在する。突起部１１４には、固定部材端部用貫通孔１１８が存在する。固定部材端部用貫通孔１１８は、取り付け板１１０の長手方向に沿って、すなわちＹ方向に沿って、Ｘ方向に開口するようにして存在する。固定部材端部用貫通孔１１８は、ネジなどの固定部材を通すためのものである。固定部材端部用貫通孔１１８、及び固定部材１５０が有する貫通孔にネジを通すことによって固定部材１５０が覆うようにして連結される。次に、固定部材１５０が突起部１１４にどのように連結されるのかについて説明するところから始め、固定部材１５０全体について説明する。
【００４６】
［２−２．固定部材１５０について］
図５Ａ、及び図５Ｂを参照しながら、固定部材１５０について説明する。図５Ａは、一側面から固定部材１５０の形状を示した説明図である。図５Ｂは、図５Ａとは異なる側面から固定部材１５０の形状を示した説明図である。固定部材１５０は、固定部材端部１５２と、可動部材用貫通孔１５４と、接触部１５６と、取り付け板用貫通孔１５８と、固定部材本体部１６０と、連結部材用貫通孔１６２と、平坦面１６４とを有する。また、固定部材１５０のＺ方向の一面は、開口している。固定部材１５０の形状は、図５Ａ、及び図５Ｂに示す形状に限られず、取り付け板１１０、連結部材１２０、及び可動部材１３０と連結可能な形状であればどのような形状であってもよい。
【００４７】
固定部材端部１５２には、取り付け板用貫通孔１５８が存在する。取り付け板用貫通孔１５８にはネジなどの固定具を通すことができ、図４を参照しながら説明してきた取り付け板１１０の壁掛け部材用貫通孔１１６に上記ネジを通すことで、取り付け板１１０に固定部材１５０を連結して固定することができる。
【００４８】
また、固定部材端部１５２は、図５Ａに示すような状態において、ＸＹ平面に平行な平坦面１６４を有する。そのため、図４を参照しながら説明してきたように、壁掛け部材１０を取り付け板１１０に取り付ける際に、壁掛け本体部１４が有する平坦面１６と固定部材端部１５２とが有する平坦面１６４が当接することで、壁掛け部材１０は、安定に取り付けられる。その結果、壁に取り付けた後の壁掛け部材１０は安定した状態で固定される。
【００４９】
連結部材用貫通孔１６２は、ネジなどの固定具を通す孔であって、連結部材１２０の有する貫通孔に案内部材が貫通する。そのため、固定部材１５０と連結部材１２０とが連結される。
【００５０】
可動部材用貫通孔１５４は、ネジなどの案内部材を通す孔であって、図６Ｂなどに示す可動部材１３０の有する案内溝１３４に当該案内部材が貫通する。そして、固定部材本体部１６０の開口している部分の幅は、可動部材１３０の幅よりも少し広くなっていて、固定部材１５０は可動部材１３０を嵌め合わせることができる。そのため、固定部材本体部１６０が可動部材１３０を覆うようにして、固定部材１５０と可動部材１３０とが固定される。このように、上記案内部材によって固定部材１５０は、可動部材１３０と安定に連結されるため、ディスプレイ装置１０００に取り付けられたスピーカは、振動が起きてもずれにくいものとなる。
【００５１】
また、可動部材１３０と固定部材１５０とが連結される場合に、接触部１５６が可動部材１３０に接する。そのため、可動部材１３０は、接触部１５６によって動かないようにされ、安定に取り付けられることとなる。その結果、ディスプレイ装置１０００に取り付けられたスピーカは、振動が起きてもずれにくいものとなる。
【００５２】
次に、上述したような可動部材１３０が有する案内溝１３４についての機能構成について説明することから始め、図６Ａ、及び図６Ｂを参照して可動部材１３０の機能構成についてさらに詳細に説明する。また、図６Ｃを参照しながら可動部材１３０に固定部材１５０が連結される状態について説明する。
【００５３】
［２−３．可動部材１３０について］
図６Ａは、一側面から可動部材１３０の形状を示した説明図である。図６Ｂは、図６Ａとは異なる他の側面から可動部材１３０の形状を示した説明図である。図６Ｂに示すように可動部材１３０は、貫通孔１３２と、案内溝１３４とを有する。可動部材１３０は、例えば、略直方体の形状を有し、筒状に形成される。
【００５４】
案内溝１３４は、ネジなどの案内部材１６６が嵌合するためのものである。ここで、図６Ｃを参照しながら上述したように可動部材１３０が固定部材１５０に連結される状態について更に詳細に説明する。案内溝１３４と可動部材用貫通孔１５４に対して案内部材１６６が貫通することができるように、案内溝１３４の幅と可動部材用貫通孔１５４の径は形成される。そのため、当該案内部材１６６は、固定部材１５０が有する可動部材用貫通孔１５４から通されて案内溝１３４で固定されることで、可動部材１３０と固定部材１５０とを固定することができる。案内部材１６６は、可動部材１３０の位置調整を案内し、Ｘ方向に可動部材用貫通孔１５４が２箇所ある。可動部材１３０は、Ｘ方向に移動可能である。可動部材用貫通孔１５４を貫通した案内部材１６６は、上記のように２箇所あり、案内溝１３４に嵌っているため、可動部材１３０がＸ方向に移動する際にＹ方向にずれることを防止するように案内する。また、案内溝１３４の中に案内部材１６６が２本挿入されることにより、可動部材１３０が固定部材１５０及び連結部材１２０から抜け出てしまったり、内側に入り込んでしまったりすることを防ぐ役割をしている。案内部材１６６を案内溝１３４及び可動部材用貫通孔１５４に貫通して固定していない状態では、可動部材１３０を固定部材１５０に嵌め合わせた状態でＸ方向に位置調整することができる。また、案内溝１３４は、可動部材１３０のＸ方向、すなわち長手方向に延びて形成されており、ユーザは、上記の案内部材１６６を任意の位置で固定することができる。つまり、図１、及び図２を参照しながら説明してきたように、図１又は図２におけるＸ方向に移動可能なように可動部材１３０を設置することができる。
【００５５】
再び、図６Ａ、図６Ｂを参照しながら説明する。貫通孔１３２は、可動部材１３０のＸ方向、すなわち長手方向の端部付近に位置する。貫通孔１３２は、ネジなどの固定具を通す孔であって、スピーカ取り付けパネル１４０の有する貫通孔に当該固定具が貫通する。図６Ａに示すように、可動部材１３０は、貫通孔１３２を２個有していてもよく、１個のみ有していてもよい。可動部材１３０が貫通孔１３２を２個有する場合には、一つの貫通孔１３２が、上記のようにスピーカ取り付けパネル１４０を固定するための固定具を通すための孔となる。
【００５６】
可動部材１３０は、連結部材１２０と固定部材１５０とに挟持されるようにして固定される。どのようにして固定されているのかについて、より具体的に連結部材１２０の機能構成について説明しつつ詳述する。
【００５７】
［２−４．連結部材１２０について］
図７を参照しながら、連結部材１２０について説明する。図７は、連結部材１２０の形状を示した説明図である。連結部材１２０は、固定部材本体部用貫通孔１２２と、連結部材本体部１２４とを有する。連結部材１２０の連結部材本体部１２４のＹＺ平面における断面形状は、コの字型に形成されており、Ｚ方向に開口した形状を有する。
【００５８】
固定部材本体部用貫通孔１２２は、ネジなどの固定具を通す孔であって、固定部材１５０の有する連結部材用貫通孔１６２に当該固定具が貫通する。そのため、連結部材１２０と固定部材１５０とが連結され固定される。また、図４を参照しながら説明してきた取り付け板１１０の嵌合部１１２に連結部材１２０の連結部材本体部１２４は嵌合される。嵌合部１１２は、Ｙ方向に複数存在して、何れの位置にも連結部材本体部１２４は嵌合されることが可能である。このように、連結部材１２０は、Ｙ方向に対して取り付けの位置が調整可能なように取り付け板１１０に連結される。そのため、ディスプレイ装置１０００の裏面にある接続端子やケーブルなど（図示せず）の位置に応じて、連結部材１２０の位置は調整される。その結果、連結部材１２０は、接続端子などを避けるようにして取り付けられる。
【００５９】
連結部材１２０には固定部材本体部用貫通孔１２２が複数設けられており、図５Ａ、図５Ｂを参照しながら説明してきた固定部材１５０にも連結部材用貫通孔１６２が複数設けられている。そのため、任意の固定部材本体部用貫通孔１２２と連結部材用貫通孔１６２との位置を合わせて、ネジなどの固定具を用いて固定することで、連結部材１２０に対する固定部材１５０のＸ方向の取り付け位置を調整できる。また、図６Ａ、図６Ｂを参照しながら説明してきた可動部材１３０は、連結部材本体部１２４の内部でＸ方向に移動することができ、所定の位置で連結部材本体部１２４と固定部材本体部１６０とに挟持され、その位置が固定される。そのため、図１、図２を参照しながら説明してきたように、連結部材１２０に対する可動部材１３０のＸ方向の位置を調整することができる。このように、連結部材１２０に対して、可動部材１３０及び固定部材１５０の位置をＸ方向に調整することで、異なるサイズのディスプレイ装置１０００、２０００にディスプレイ装置用スピーカ取り付け部材１００を取り付けることができる。
【００６０】
［２−５．連結部材１２０と固定部材１５０とが連結される状態について］
次に、図８を参照しながら、図１又は図２においては固定部材１５０の存在によって詳細が明らかにされていない連結部材１２０と可動部材１３０の状態について説明する。図８は、連結部材１２０と固定部材１５０とが連結される様子を説明するための説明図であり、固定部材１５０を破線で表示して説明する。すなわち、図８では、固定部材１５０が覆っている部分の連結部材１２０と可動部材１３０とを示している。
【００６１】
また、連結部材１２０は、取り付け板１１０が有する嵌合部１１２に嵌め合わされる。破線で表示されている固定部材１５０は、上述してきたように取り付け板１１０が有する突起部１１４を覆うようにして取り付け板１１０に固定される。ここで、ディスプレイ装置では、ＶＥＳＡ規格等の規格においてネジなどの固定具を通す孔の配置として、複数種類の配置が認められているため、ディスプレイ装置毎に取り付け板１１０のＸ方向における取り付け位置が変わってくる場合がある。このような場合であっても、連結部材用貫通孔１６２と固定部材本体部用貫通孔１２２とがそれぞれ固定部材１５０と連結部材１２０とに複数設けられているので、取り付け板１１０の設置位置に応じて、固定部材１５０をＸ方向の位置を自由に移動させて、連結部材１２０と連結させることができる。従って、平坦面１６４が嵌合部１１２を覆うような位置に固定部材１５０の位置を調整でき、固定部材１５０を、取り付け板１１０に安定に取り付けることができる。このように、ネジなどの固定具を通す位置、又はディスプレイ装置のサイズによらずに、ディスプレイ装置にディスプレイ装置用スピーカ取り付け部材１００を安定に取り付けることができる。
【００６２】
一方で、連結部材１２０は、Ｙ方向に対して取り付けの位置が調整可能なように取り付け板１１０に連結される。そのため、ディスプレイ装置１０００の裏面にある接続端子やケーブルなどの位置に応じて、連結部材１２０の位置は調整される。その結果、連結部材１２０は、接続端子などを避けるようにして取り付けられる。
【００６３】
［２−６．スピーカ取り付けパネル１４０について］
次に、図９を参照しながら、スピーカ取り付けパネル１４０について説明する。図９は、スピーカ取り付けパネル１４０の形状を示した説明図である。スピーカ取り付けパネル１４０は、貫通孔１４２と、貫通孔１４４と、スピーカ取り付けパネル本体部１４６とを有する。図９に示すようにスピーカ取り付けパネル１４０は、底面が略長方形である板状に形成される。但し、スピーカ取り付けパネル１４０は、略直方体形状に限られるものではなく、スピーカが取り付け可能であればどのような形状であってもよい。
【００６４】
貫通孔１４４は、スピーカを取り付けるためにネジなどの案内部材を通す孔である。図９に示すように、スピーカ取り付けパネル１４０は、貫通孔１４４を複数有していてもよいし、１つであってもよい。ユーザは、スピーカをスピーカ取り付けパネル本体部１４６に付設することができる。複数の貫通孔１４４がＹ方向に並んでいるために、ユーザは、スピーカをスピーカ取り付けパネル本体部１４６のＹ方向の任意の位置に嗜好に応じて取り付けることができる。
【００６５】
貫通孔１４２は、ネジなどの案内部材を通すための孔である。図６Ａ、図６Ｂで説明してきた可動部材１３０が有する貫通孔１３２を通った案内部材が、貫通孔１４２を通り、可動部材１３０とスピーカ取り付けパネル１４０とが連結され固定される。貫通孔１４２は、Ｙ方向に複数存在するために、スピーカ取り付けパネル１４０を可動部材１３０に取り付ける位置をＹ方向に調整できる。すなわち、上述してきたように嵌合部１１２に嵌合する連結部材１２０の位置をＹ方向に調整でき、それに伴い可動部材１３０の位置も調整されるので、可動部材１３０のＹ方向への調整に合わせて、スピーカ取り付けパネル１４０の取り付ける位置を調整できる。一方でスピーカ取り付けパネル１４０を可動部材１３０に取り付ける位置をＺ方向にも調整できる。その調整方法について、図１０Ａ、図１０Ｂを参照しながら説明する。
【００６６】
［２−７．可動部材１３０にスピーカ取り付けパネル１４０が取り付けられた状態について］
図１０Ａ、図１０Ｂ、図１０Ｃ、及び図１０Ｄを参照しながら、可動部材１３０にスピーカ取り付けパネル１４０が取り付けられた状態について説明する。図１０Ａは、スピーカ取り付けパネル１４０が可動部材１３０よりもディスプレイ装置１０００（図示せず）側、すなわちＺ軸の負方向の側に位置するように取り付けられた状態を示した説明図である。図１０Ｂは、可動部材１３０がスピーカ取り付けパネル１４０よりもディスプレイ装置１０００（図示せず）側、すなわちＺ軸の負方向の側に位置するように取り付けられた状態を示した説明図である。また、図１０Ｃは、スピーカ取り付けパネル１４０が可動部材１３０よりもＺ軸の負方向の側に位置するように取り付けられ、可動部材１３０とスピーカ取り付けパネル１４０の間にパネル位置調整部材１７０が存在する状態を示した説明図である。また、図１０Ｄは、可動部材１３０がスピーカ取り付けパネル１４０よりもＺ軸の負方向の側に位置するように取り付けられ、可動部材１３０とスピーカ取り付けパネル１４０の間にパネル位置調整部材１７０が存在する状態を示した説明図である。
【００６７】
図１０Ａに示すように、可動部材１３０に対してスピーカ取り付けパネル１４０が、ディスプレイ装置１０００側に位置するように設置されてもよい。スピーカ取り付けパネル１４０は、貫通孔１４２に案内部材１４８を通すことによって固定される。また、図１０Ｃに示すように、任意の大きさを有するパネル位置調整部材１７０が可動部材１３０とスピーカ取り付けパネル１４０との間に設置されてもよい。パネル位置調整部材１７０は、例えば直方体形状をしており、パネル位置調整部材１７０のＺ方向の厚みだけＺ方向にスピーカ取り付けパネル１４０の取り付け位置を調整することが可能となる。パネル位置調整部材１７０は、パネル位置調整部材１７０が有する貫通孔にネジなどの固定具１４９を通すことよって固定される。そのため、スピーカが取り付けられた状態で、ユーザがディスプレイ装置１０００で番組を視聴する際に、スピーカをユーザの好みの位置まで近づけた状態で番組を視聴することができる。例えば、ディスプレイ装置１０００に対してスピーカの位置がＺ方向に極端に出すぎた位置に設置されたり、極端に引っ込んだ位置に設置されたりすることがないよう、スピーカの形状等に応じて、Ｚ方向の位置を調整することができる。
【００６８】
一方、図１０Ｂに示すように、スピーカ取り付けパネル１４０に対して可動部材１３０がディスプレイ装置１０００側に位置するように設置されてもよい。スピーカ取り付けパネル１４０は、貫通孔１４２にネジなどの固定具１４８を通すことによって固定される。また、図１０Ｄに示すように、パネル位置調整部材１７０が可動部材１３０とスピーカ取り付けパネル１４０の間に設置されてもよい。パネル位置調整部材１７０は、パネル位置調整部材１７０が有する貫通孔にネジなどの固定具１４９を通すことよって固定される。そのため、スピーカが取り付けられた状態で、ユーザがディスプレイ装置１０００で番組を視聴する際に、スピーカをユーザの好みの位置まで離した状態で番組を視聴することができる。例えば、ディスプレイ装置１０００に対してスピーカの位置がＺ方向に極端に出すぎた位置に設置されたり、極端に引っ込んだ位置に設置されたりすることがないよう、スピーカの形状等に応じて、Ｚ方向の位置を調整することができる。図１０Ａ、図１０Ｂ、図１０Ｃ、及び図１０Ｄを参照しながら説明してきたように、ユーザは、嗜好に応じてディスプレイ装置１０００に対して、Ｚ方向にスピーカの位置を調整することができる。
【００６９】
＜３．まとめ＞
最後に、本実施形態のディスプレイ装置用スピーカ取り付け部材が有する機能構成と、当該機能構成により得られる作用効果について簡単に纏める。
【００７０】
まず、本実施形態に係るディスプレイ装置用スピーカ取り付け部材１００の機能構成は次のように表現することができる。当該ディスプレイ装置用スピーカ取り付け部材１００は、取り付け板１１０と、連結部材１２０と、可動部材１３０と、スピーカ取り付けパネル１４０とを有する。１又は複数の上記の取り付け板１１０が、ディスプレイ装置１０００の裏面に敷設されている。また、連結部材１２０は、上記取り付け板１１０の長手方向に沿った第一の方向の所定位置で上記取り付け板１１０と交差するように連結される。また、可動部材１３０は、上記第一の方向と直交する第二の方向に沿って移動可能なように上記連結部材１２０に連結される。また、スピーカ取り付けパネル１４０は、上記可動部材１３０に取り付けられ、スピーカを取り付け可能である。このように、上記第二の方向に上記可動部材１３０が移動可能なように上記連結部材１２０に連結されるため、ディスプレイ装置１０００のサイズやユーザの嗜好に応じて、ユーザはスピーカを第二の方向に対して様々な位置に配置することができる。
【００７１】
また、連結部材１２０が第一の方向に対して取り付けの位置が調整可能なように取り付け板１１０に連結されるため、ディスプレイ装置１０００の裏面にある接続端子などの位置に応じて、連結部材１２０の位置は調整される。その結果、連結部材１２０は、接続端子などを避けるようにして取り付けられる。また、上記のような構成を有しているために、ディスプレイ装置用スピーカ取り付け部材１００は、第一の方向に長さを調整可能であり、異なるディスプレイ装置であっても適用可能である。
【００７２】
同実施形態のディスプレイ装置用スピーカ取り付け部材１００機能構成としては、さらに固定部材１５０を有していてもよい。固定部材１５０は、上記連結部材１２０と挟持して上記可動部材１３０の位置を固定する。このように、固定部材１５０が連結部材１２０と挟持し可動部材１３０の位置を固定するために、連結部材１２０と可動部材１３０とは安定に連結される。その結果、ディスプレイ装置１０００に取り付けられたスピーカは、振動が起きてもずれにくいものとなる。
【００７３】
同実施形態のディスプレイ装置用スピーカ取り付け部材１００の機能構成としては、さらに取り付け板が嵌合部１１２を有していてもよい。嵌合部１１２は、上記第一の方向に複数配列しており、連結部材１２０が上記第二の方向に沿って所定位置の上記嵌合部１１２を連通する。このように、複数の嵌合部１１２に連結部材１２０が連通可能であるために、ディスプレイ装置１０００の裏面にある接続端子等の位置に応じて、ディスプレイ装置１０００の裏面にある接続端子などの位置に応じて、連結部材１２０の位置は調整される。その結果、連結部材１２０は、接続端子などを避けるようにして取り付けられる。
【００７４】
同実施形態のディスプレイ装置用スピーカ取り付け部材１００の機能構成としては、さらに可動部材１３０が案内溝１３４を有していて、固定部材１５０が可動部材用貫通孔１５４を有していてもよい。案内溝１３４は上記第二の方向に沿って形成されていて、可動部材用貫通孔１５４は上記第二の方向に沿って複数設けられている。そして、上記可動部材用貫通孔１５４を貫通したネジが上記案内溝１３４に嵌合する。そのため、ディスプレイ装置１０００のサイズやユーザの嗜好に応じてスピーカを第二の方向に対して様々な位置で固定することができ、かつディスプレイ装置１０００に取り付けられたスピーカは、振動が起きてもずれにくいものとなる。
【００７５】
同実施形態のディスプレイ装置用スピーカ取り付け部材１００の機能構成としては、さらに固定部材１５０が第一の平坦面を有していてもよい。壁に取り付けるための掛止部１２と、上記ディスプレイ装置１０００に接する第二の平坦面を有する壁掛け本体部１４と、を有する壁掛け部材１０を上記取り付け板１１０に固定した場合、上記第一の平坦面と第二の平坦面とが当接する。そのため、壁掛け部材１０は、取り付け板１１０に安定に取り付けられる。その結果、ディスプレイ装置１０００に取り付けられたスピーカは、壁に取り付けた状態において振動が起きてもずれにくいものとなる。
【００７６】
同実施形態のディスプレイ装置用スピーカ取り付け部材１００の機能構成としては、スピーカ取り付けパネルは、透明な材質で形成されていてもよい。そのため、ユーザがスピーカ取り付けパネル１４０にスピーカを取り付けてディスプレイ装置１０００で番組を視聴する場合、スピーカの背後のスピーカ取り付けパネル１４０が視界に入ってくるという煩わしさが解消される。すなわち、スピーカ取り付けパネル１４０が目立たず、ディスプレイ装置１０００及びスピーカの外観上の美しさが確保される。
【００７７】
同実施形態のディスプレイ装置用スピーカ取り付け部材１００の機能構成としては、次のような機能を有していてもよい。つまり、上記第一の方向及び上記第二の方向の何れにも直交する第三の方向に対して、上記可動部材１３０の両面側に上記スピーカ取り付けパネル１４０を取り付け可能であってもよい。そのため、ユーザは、嗜好に応じてディスプレイ装置１０００に対して、上記第三の方向にスピーカの位置を調整することができる。例えば、ディスプレイ装置１０００に対してスピーカの位置が上記第三の方向に極端に出すぎた位置に設置されたり、極端に引っ込んだ位置に設置されたりすることがないよう、スピーカの形状等に応じて、上記第三の方向の位置を調整することができる。
【００７８】
同実施形態のディスプレイ装置用スピーカ取り付け部材１００の機能構成としては、パネル位置調整部材をさらに有していてもよい。パネル位置調整部材は、上記可動部材１３０と上記スピーカ取り付けパネル１４０の間に設置される。そのため、ユーザは、嗜好に応じてディスプレイ装置１０００に対して、上記第三の方向にスピーカの位置を調整することができる。例えば、ディスプレイ装置１０００に対してスピーカの位置が上記第三の方向に極端に出すぎた位置に設置されたり、極端に引っ込んだ位置に設置されたりすることがないよう、スピーカの形状等に応じて、上記第三の方向の位置を調整することができる。
【００７９】
同実施形態のディスプレイ装置用スピーカ取り付け部材１００の機能構成としては、固定部材１５０が接触部１５６をさらに有していてもよい。接触部１５６は、上記可動部材１３０側に突出して形成され、少なくとも上記可動部材１３０に接する。そのため、可動部材１３０は安定に取り付けられることになる。その結果、ディスプレイ装置１０００に取り付けられたスピーカは、振動が起きてもずれにくいものとなる。
【００８０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００８１】
１０    壁掛け部材
１２    掛止部
１４    壁掛け本体部
１６    平坦面
２０    ネジ
２２、１３２、１４２、１４４    貫通孔
１００    ディスプレイ装置用スピーカ取り付け部材
１１０    取り付け板
１１２    嵌合部
１１４    突起部
１１６    壁掛け部材用貫通孔
１１８    固定部材端部用貫通孔
１２０    連結部材
１２２    固定部材本体部用貫通孔
１２４    連結部材本体部
１３０    可動部材
１３４    案内溝
１４０    スピーカ取り付けパネル
１４６    スピーカ取り付けパネル本体部
１４８、１４９    固定具
１５０    固定部材
１５２    固定部材端部
１５４    可動部材用貫通孔
１５６    接触部
１５８    取り付け板用貫通孔
１６０    固定部材本体部
１６２    連結部材用貫通孔
１６４    平坦面
１６６    案内部材
１７０    パネル位置調整部材
１０００、２０００    ディスプレイ装置
【図１】
2010193418.tif 000003
【図２】
2010193418.tif 000004
【図３】
2010193418.tif 000005
【図４】
2010193418.tif 000006
【図５Ａ】
2010193418.tif 000007
【図５Ｂ】
2010193418.tif 000008
【図６Ａ】
2010193418.tif 000009
【図６Ｂ】
2010193418.tif 000010
【図６Ｃ】
2010193418.tif 000011
【図７】
2010193418.tif 000012
【図８】
2010193418.tif 000013
【図９】
2010193418.tif 000014
【図１０Ａ】
2010193418.tif 000015
【図１０Ｂ】
2010193418.tif 000016
【図１０Ｃ】
2010193418.tif 000017
【図１０Ｄ】
2010193418.tif 000018